(57)【要約】      （修正有）【課題】製造が容易で、意匠性に優れるマチ付き袋体を提供する。【解決手段】扁平筒状で上縁が開くとともに両側部に沿って内方に折り込まれるマチ３を備え、一方面５の下縁からの折り返し部７が他方面９の下縁近傍外面に貼り付けられて構成されるマチ付き袋体であり、マチ３の下縁に沿って下方への延出部８が設けられ、延出部８が貼り付けられる折り返し部７と一体に折り返されて構成されるもの。【選択図】図３
0003225014.tif 000002
【実用新案登録請求の範囲】
【請求項１】
扁平筒状で上縁が開くとともに両側部に沿って内方に折り込まれるマチを備え、一方面の下縁からの折り返し部が他方面の下縁近傍外面に貼り付けられて構成されるマチ付き袋体であり、
前記マチの下縁に沿って下方への延出部が設けられ、前記延出部が貼り付けられる前記折り返し部と一体に折り返されて構成されることを特徴とするマチ付き袋体。
【請求項２】
前記一方面、前記他方面、前記一対のマチの下部に連続する水平折り線が設けられるとともに、前記マチそれぞれにおいて前記水平折り線の両端から前記マチの下縁中央に至る一対の傾斜折り線が設けられてなることを特徴とする請求項１記載のマチ付き袋体。
【考案の詳細な説明】
【技術分野】
【０００１】  この考案は、マチ付き袋体の改良に関する。
【背景技術】
【０００２】  各種小物物品等を収納するように、図７に示すようなマチ付き袋体１００が使用される。マチ付き袋体１００は両側部に沿って内方に折り込まれるマチ１０２を備えている。
【考案の開示】
【考案が解決しようとする課題】
【０００３】  上記従来のマチ付き袋体１００の場合、底面１０１の構造が複雑で、折り畳みや接着に手間がかかり、製造効率が悪い問題が有った。また、製品において底面１０１が、非使用時にマチ付き袋体１００の一方面１０４の下部に重なるように位置するので見栄えが悪く、また、マチ付き袋体１００の一方面１０４下部にデザイン模様等の表示がある場合は底面１０１で覆われてしまうという意匠面での問題もあった。【０００４】  この考案では、製造が容易で、意匠性に優れるマチ付き袋体を提供することを目的とする。
【課題を解決するための手段】
【０００５】  この考案では、扁平筒状で上縁が開くとともに両側部に沿って内方に折り込まれるマチを備え、一方面の下縁からの折り返し部が他方面の下縁近傍外面に貼り付けられて構成されるマチ付き袋体であり、前記マチの下縁に沿って下方への延出部が設けられ、前記延出部が貼り付けられる前記折り返し部と一体に折り返されて構成されることを特徴とするマチ付き袋体を提供する。【０００６】  上記構成によれば、マチ下縁の延出部を折り返し部と一体に折り返して、折り返し部を他方面の下縁近傍外面に貼り付けることで、見栄えの良いマチ付き袋体が容易に得られる。とくに、延出部が折り返し部と重ね状態とされ一体に折り返されていることで、延出部が折り返し部と他方面の下縁近傍外面間に固定され、マチが開かれた際にマチの下部が側方に膨らみ出すことが防止される。また、延出部があることでマチ下端に隙間が生じず、これにより、使用時にマチ付き袋体内に埃等が侵入することが防止される。【０００７】  前記一方面、前記他方面、前記一対のマチの下部に連続する水平折り線が設けられるとともに、前記マチそれぞれにおいて前記水平折り線の両端から前記マチの下縁中央に至る一対の傾斜折り線が設けられてなる構成とすることで、それら折り線で折られてマチの下部は美麗に安定した状態に開かれる。
【考案の効果】
【０００８】  この考案によれば、製造が容易で、意匠性に優れるとともに、マチの下部が安定した状態に開かれるマチ付き袋体が得られる。
【図面の簡単な説明】
【０００９】
【図１】  この考案のマチ付き袋体の実施形態の前面図
【図２】  この考案のマチ付き袋体の実施形態の背面図
【図３】  この考案のマチ付き袋体の実施形態の展開図
【図４】  この考案のマチ付き袋体の実施形態の制作説明図
【図５】  この考案のマチ付き袋体の実施形態の図１における矢印Ａ位置の断面構成図
【図６】  この考案のマチ付き袋体の実施形態のマチが開かれた状態斜視図
【図７】  従来例のマチ付き袋体の前面図
【考案を実施するための形態】
【００１０】  図１はこの考案のマチ付き袋体の前面図、図２は同背面図である。マチ付き袋体１は紙製で、縦長扁平筒状で上縁２が開くとともに両側部に沿って内方に折り込まれるマチ３を備え、前面５の下縁からの折り返し部７が背面９の下縁近傍外面に貼り付けられて一体に構成されている。
【００１１】  図３の展開図に示すように、マチ付き袋体１を形成する紙材Ｓの両方のマチ３の下縁に沿って下方へ所定巾で延び出す延出部８が設けられており、それら延出部８が、図４の制作説明図、図５の断面構成図に示すように、中央それぞれで折られた重ね状態とされ、背面９の側に貼り付けられる折り返し部７と一体に背面９側に折り返されている。図３のマチ付き袋体１を形成する紙材Ｓには多数の折り線が付されており、１０はマチ付き袋体１を筒状に固定する貼り付け部である。
【００１２】  図６はマチ付き袋体１の使用時の両側のマチ３が開かれた状態を示す。図３の展開図に示すように、前面と背面と一対のマチ３の下部に連続する水平折り線１５が連続して設けられ、マチ３それぞれにおいて水平折り線１５の両端からマチ３の下縁中央に至る一対の傾斜折り線１７が設けられていることで、マチ３の下部はそれら折り線１５、１７で折られて美麗に安定した状態に開かれる。
【００１３】  上記のマチ３が開かれた際に、延出部８が折り返し部７と重ね状態とされ一体に折り返されていることで、延出部８が折り返し部７と背面９の下縁近傍外面間に固定され、マチ３が側方に膨らみ出すことが防止される。また、延出部８があることでマチ３下端に隙間が生じず、これにより、使用時にマチ付き袋体１内に埃等が侵入することが防止される。
【符号の説明】
【００１４】１      マチ付き袋体
２      上縁
３      マチ
５      前面（一方面）
７      折り返し部
８      延出部
９      背面（他方面）
【図１】
0003225014.tif 000003
【図２】
0003225014.tif 000004
【図３】
0003225014.tif 000005
【図４】
0003225014.tif 000006
【図５】
0003225014.tif 000007
【図６】
0003225014.tif 000008
【図７】
0003225014.tif 000009
【手続補正書】
【提出日】令和1年11月11日(2019.11.11)
【手続補正１】
【補正対象書類名】実用新案登録請求の範囲
【補正対象項目名】全文
【補正方法】変更
【補正の内容】
【実用新案登録請求の範囲】
【請求項１】
扁平筒状で上縁が開くとともに両側部に沿って内方に折り込まれるマチを備え、一方面の下縁からの折り返し部が他方面の下縁近傍外面に貼り付けられて構成されるマチ付き袋体であり、
前記マチの下縁に沿って下方への延出部が設けられ、前記延出部が貼り付けられる前記折り返し部と一体に折り返されて構成されることを特徴とするマチ付き袋体。
【請求項２】
前記一方面、前記他方面、一対の前記マチの下部に連続する水平折り線が設けられるとともに、前記マチそれぞれにおいて前記水平折り線の両端から前記マチの下縁中央に至る一対の傾斜折り線が設けられてなることを特徴とする請求項１記載のマチ付き袋体。